(57)【特許請求の範囲】
【請求項１】
追い焚き暖房熱交換器の下方にバーナーが配置された給湯器と、
前記追い焚き暖房熱交換器に接続され、追い焚き暖房熱交換器から出て浴槽に向かう湯水が流れる追い焚き循環往き通路と、
前記浴槽に接続され、浴槽から出て前記追い焚き暖房熱交換器に向かう湯水が流れる追い焚き循環戻り通路と、
前記追い焚き循環往き通路及び前記追い焚き循環戻り通路に湯水を循環させる循環ポンプと、
前記追い焚き循環往き通路の途中に配置される風呂往き三方弁と、
前記追い焚き循環戻り通路の途中に配置される風呂戻り三方弁と、
前記風呂往き三方弁に接続され、風呂往き三方弁から出て暖房熱交換器に向かう湯水が流れる暖房往き通路と、
前記暖房熱交換器に接続され、暖房熱交換器から出て風呂戻り三方弁に向かう湯水が流れる暖房戻り通路と、
前記暖房戻り通路の途中に設けられる貯留部と、
前記循環ポンプを駆動して、浴槽湯水が前記風呂戻り三方弁にまで至ったことを条件として、上水が安全とされる所定時間よりも短い時間以内に、前記暖房熱交換器、前記暖房往き通路、前記暖房戻り通路及び前記貯留部にある水を置換する水置換部と、
を有する給湯システム。
【請求項２】
請求項１に記載の給湯システムにおいて、
前記貯留部は、エアセパレーターであって、
一端が前記エアセパレーターの上面に接続され、他端が前記風呂往き三方弁と前記浴槽との間の追い焚き循環往き通路に合流するオーバーフローパイプをさらに有する、
給湯システム。
【請求項３】
請求項１に記載の給湯システムにおいて、
前記貯留部は、膨張タンクである、
給湯システム。
【請求項４】
請求項１から請求項３までのいずれか１項に記載の給湯システムにおいて、
前記水置換部は、前記バーナーを点火することなくエアパージ運転することで、水置換を実行する、
給湯システム。
【請求項５】
追い焚き暖房熱交換器の下方にバーナーが配置された給湯器と、
前記追い焚き暖房熱交換器に接続され、追い焚き暖房熱交換器から出て浴槽に向かう湯水が流れる追い焚き循環往き通路と、
前記浴槽に接続され、浴槽から出て前記追い焚き暖房熱交換器に向かう湯水が流れる追い焚き循環戻り通路と、
前記追い焚き循環往き通路及び前記追い焚き循環戻り通路に湯水を循環させる循環ポンプと、
前記追い焚き循環往き通路の途中に配置される風呂往き三方弁と、
前記追い焚き循環戻り通路の途中に配置される風呂戻り三方弁と、
前記風呂往き三方弁に接続され、風呂往き三方弁から出て暖房熱交換器に向かう湯水が流れる暖房往き通路と、
前記暖房熱交換器に接続され、暖房熱交換器から出て風呂戻り三方弁に向かう湯水が流れる暖房戻り通路と、
前記暖房戻り通路の途中に設けられる貯留部と、
を有する給湯システムの運転方法であって、
前記循環ポンプを駆動して、浴槽湯水が前記風呂戻り三方弁にまで至ったことを条件として、上水が安全とされる所定時間よりも短い時間以内に、前記暖房熱交換器、前記暖房往き通路、前記暖房戻り通路及び前記貯留部にある水を置換する水置換工程を有する、
給湯システムの運転方法。
【発明の詳細な説明】
【技術分野】
【０００１】
この発明は、給湯システム及び給湯システムの運転方法に関する。
【背景技術】
【０００２】
発明者らは、特許文献１にあるような、給湯熱交換器及び追い焚き暖房熱交換器を用いる給湯システムを開発中である。このようなシステムでは、使用する熱交換器を切り替えたり、また切替弁を用いて湯水の流路を切り替えることで、浴槽やカランなどへの湯の供給，浴槽の湯の追い焚き，浴室の暖房などを行うことができる。またこのシステムでは、浴室の暖房と浴槽の追い焚きを同時に行うことも可能である。この場合は、浴槽湯水を高温（殺菌状態）にして、高温の湯水を暖房に用い、暖房放熱によって温度が低下したものの、まだまだ温度が高い湯を浴槽に供給することで、効率的に浴槽を追い焚きすることができる。
【０００３】
特許文献１の給湯システムは、浴槽水を温める（追い焚きを行う）管路と暖房を行う管路とを三方弁で切り替える。暖房時は、浴槽水がポンプで吸引されて追い焚き暖房熱交換器に送られ、追い焚き暖房熱交換器で加熱，殺菌されてから、暖房管路に送り込まれる。このようになるので、浴槽水に雑菌（たとえばレジオネラ菌）が混入していても、加熱，殺菌されるため、暖房管路内で雑菌が繁殖する恐れがない。
【０００４】
また、浴槽やカランなどへの湯の供給及び浴槽の湯の追い焚きのみを行うシステムもある。このようなシステムにおいて、入浴途中に追い焚きを行うと、雑菌を含む浴槽水がポンプで吸引される。追焚終了後にそのままの状態で放置されると（たとえば使用者が数日間帰省した場合など）、追焚管路内に雑菌が増殖するおそれがある。増殖した雑菌が、自動湯張りで浴槽内に流出すると、使用者は雑菌を含む湯水に入浴することとなるので好ましくない。このような事態を防止すべく、特許文献２のように、圧力センサーによる検出水位が一定以下となって、浴槽の水を抜いた（入浴終了した）ことを検知した場合に、追焚管路を湯水で洗浄することが考えられる。
【先行技術文献】
【特許文献】
【０００５】
【特許文献１】特許第３６２０３５７号公報
【特許文献２】特許第２１３２８３７号公報
【発明の概要】
【発明が解決しようとする課題】
【０００６】
特許文献１の給湯システムにおいても、暖房終了後の入浴途中で追い焚きを行う場合がある。追い焚きを行うと、雑菌を含む浴槽水がポンプで吸引される。追焚終了後に暖房管路内に残る湯が冷めて、暖房管路内が負圧になる場合がある。特許文献１の給湯システムには、浴槽とポンプとの間に三方弁が配置されており、この三方弁の閉止機能が前記負圧に耐えられないと（又は三方弁が故障していると）、追焚管路の、雑菌を含んだ浴槽水が三方弁を通過して暖房管路内に侵入することが懸念される。オーバーフローパイプがある場合には、オーバーフローパイプ経由で暖房管路内に雑菌が入り込むことがある。暖房管路内に雑菌が侵入した後、数日間の帰省から帰ってきてから自動湯張りを行うと、暖房管路内で増殖した雑菌が浴槽に流出するという問題があった。
【０００７】
本発明は、このような従来の問題点に着目してなされた。本発明の目的は、万一、湯水の流路を切り替える切替弁に不具合が生じても、その不具合によって使用者の健康を害しない給湯システム及び給湯システムの運転方法を提供することである。
【課題を解決するための手段】
【０００８】
本発明は以下のような解決手段によって前記課題を解決する。なお、理解を容易にするために本発明の実施形態に対応する符号を付するが、これに限定されるものではない。また符号を付して説明した構成は適宜代替しても改良してもよい。
【０００９】
第１の発明は、追い焚き暖房熱交換器（２２）の下方にバーナー（２３）が配置された給湯器（２）と、前記追い焚き暖房熱交換器（２２）に接続され、追い焚き暖房熱交換器（２２）から出て浴槽（４０）に向かう湯水が流れる追い焚き循環往き通路（２２１，４１１）と、前記浴槽（４０）に接続され、浴槽（４０）から出て前記追い焚き暖房熱交換器（２２）に向かう湯水が流れる追い焚き循環戻り通路（２２２，４１２）と、前記追い焚き循環往き通路（２２１，４１１）及び前記追い焚き循環戻り通路（２２２，４１２）に湯水を循環させる循環ポンプ（２２０）と、前記追い焚き循環往き通路（２２１，４１１）の途中に配置される風呂往き三方弁（３１）と、前記追い焚き循環戻り通路（２２２，４１２）の途中に配置される風呂戻り三方弁（３２）と、前記風呂往き三方弁（３１）に接続され、風呂往き三方弁（３１）から出て暖房熱交換器（５１）に向かう湯水が流れる暖房往き通路（５１１）と、前記暖房熱交換器（５１）に接続され、暖房熱交換器（５１）から出て風呂戻り三方弁（３２）に向かう湯水が流れる暖房戻り通路（５１２，３３１）と、前記暖房戻り通路（５１２，３３１）の途中に設けられる貯留部（３３）と、前記循環ポンプ（２２０）を駆動して、浴槽湯水が前記風呂戻り三方弁（３２）にまで至ったことを条件として、上水が安全とされる所定時間よりも短い時間以内に、前記暖房熱交換器（５１）、前記暖房往き通路（５１１）、前記暖房戻り通路（５１２，３３１）及び前記貯留部（３３）にある水を置換する水置換部（Ｓ１８）とを有する給湯システムである。
【００１０】
第２の発明は、第１の発明において、前記貯留部（３３）は、エアセパレーター（３３）であって、一端が前記エアセパレーター（３３）の上面に接続され、他端が前記風呂往き三方弁（３１）と前記浴槽（４０）との間の追い焚き循環往き通路（４１１）に合流するオーバーフローパイプ（３３２）をさらに有する給湯システムである。
【００１１】
第３の発明は、第１又は第２の発明において、前記貯留部（３３）は、膨張タンク（３３）である給湯システムである。
【００１３】
第４の発明は、第１から第３までのいずれかの発明において、前記水置換部（Ｓ１８）は、前記バーナー（２３）を点火することなくエアパージ運転することで、水置換を実行する給湯システムである。
【００１４】
第５の発明は、追い焚き暖房熱交換器（２２）の下方にバーナー（２３）が配置された給湯器（２）と、前記追い焚き暖房熱交換器（２２）に接続され、追い焚き暖房熱交換器（２２）から出て浴槽（４０）に向かう湯水が流れる追い焚き循環往き通路（２２１，４１１）と、前記浴槽（４０）に接続され、浴槽（４０）から出て前記追い焚き暖房熱交換器（２２）に向かう湯水が流れる追い焚き循環戻り通路（２２２，４１２）と、前記追い焚き循環往き通路（２２１，４１１）及び前記追い焚き循環戻り通路（２２２，４１２）に湯水を循環させる循環ポンプ（２２０）と、前記追い焚き循環往き通路（２２１，４１１）の途中に配置される風呂往き三方弁（３１）と、前記追い焚き循環戻り通路（２２２，４１２）の途中に配置される風呂戻り三方弁（３２）と、前記風呂往き三方弁（３１）に接続され、風呂往き三方弁（３１）から出て暖房熱交換器（５１）に向かう湯水が流れる暖房往き通路（５１１）と、前記暖房熱交換器（５１）に接続され、暖房熱交換器（５１）から出て風呂戻り三方弁（３２）に向かう湯水が流れる暖房戻り通路（５１２，３３１）と、前記暖房戻り通路（５１２，３３１）の途中に設けられる貯留部（３３）とを有する給湯システムの運転方法であって、前記循環ポンプ（２２０）を駆動して、浴槽湯水が前記風呂戻り三方弁（３２）にまで至ったことを条件として、上水が安全とされる所定時間よりも短い時間以内に、前記暖房熱交換器（５１）、前記暖房往き通路（５１１）、前記暖房戻り通路（５１２，３３１）及び前記貯留部（３３）にある水を置換する水置換工程（Ｓ１８）を有する給湯システムの運転方法である。
【発明の効果】
【００１５】
この態様によれば、三方弁の閉止機能が故障により失われても、又は髪の毛等の付着により負圧に耐えられなくなっても、これに起因する雑菌を含む浴槽水が三方弁を通過して暖房管路内に侵入しても、暖房管路内で雑菌が増殖する前に塩素を含む水で洗浄して、増殖した雑菌が浴槽内に流出することを防止することが可能である。
【図面の簡単な説明】
【００１６】
【図１】図１は、暖房機能付きの給湯システム１の基本構成を示す図である。
【図２】図２は、エアパージ運転について説明する図である。
【図３】図３は、湯張り運転について説明する図である。
【図４】図４は、追い焚き運転について説明する図である。
【図５】図５は、暖房運転について説明する図である。
【図６】図６は、浴室の暖房と浴槽の追い焚きの同時運転について説明する図である。
【図７】図７は、風呂往き三方弁３１・風呂戻り三方弁３２の一般的な内部構造を示す図である。
【図８】図８は、風呂戻り管４１２に貯留している、雑菌を含んだ湯水がエアセパレーター３３に流れ込む様子を示す図である。
【図９】図９は、風呂往き管４１１に貯留している、雑菌を含んだ湯水が暖房往き管５１１やオーバーフローパイプ３３２に流れ込む様子を示す図である。
【図１０】図１０は、入浴終了後、浴槽栓が抜かれ、圧力センサー２１３１によって水位低下が検知された場合に実行される制御のフローチャートである。
【図１１】図１１は、給湯システムの第２実施形態の制御のフローチャートである。
【図１２】図１２は、給湯システムの応用形態を示す図である。
【図１３】図１３は、第２実施形態の追い焚き運転を説明する図である。
【図１４】図１４は、風呂戻り管４１２に貯留している、雑菌を含んだ湯水が膨張タンク３３に流れ込む様子を示す図である。
【図１５】図１５は、風呂往き管４１１に貯留している、雑菌を含んだ湯水が暖房往き管５１１に流れ込む様子を示す図である。
【図１６】図１６は、風呂戻り三方弁３２及び風呂往き三方弁３１を５０％開度として行うエアパージ運転について説明する図である。
【図１７】図１７は、風呂往き三方弁３１のみ５０％開度として行うエアパージ運転について説明する図である。
【発明を実施するための形態】
【００１７】
以下、添付図面を参照しながら本発明の実施形態について説明する。
【００１８】
（第１実施形態）
図１は、暖房機能付きの給湯システム１の基本構成を示す図である。
【００１９】
給湯システム１は、主として給湯器２及び温水分岐ユニット３を含む。
【００２０】
給湯器２には、給湯熱交換器２１及び追い焚き暖房熱交換器２２が上下に配置されて共通のフィン２０１で一体化されている。その下には、ガスバーナー２３が配置されている。ガスバーナー２３の下には、燃焼用の空気を供給する燃焼ファンが設けられている。ガスバーナー２３は、ガス供給管２３１から供給された燃料ガスを燃焼して、給湯熱交換器２１及び追い焚き暖房熱交換器２２を加熱する。
【００２１】
給湯熱交換器２１の入口には、入水管２１１が接続される。入水管２１１には上水道の水が流れる。上水道の水は、入水管２１１を通って給湯熱交換器２１に供給される。なお入水管２１１を流れる水の流量は、流量センサー２１１１で検出される。
【００２２】
給湯熱交換器２１の出口には、出湯管２１２が接続される。出湯管２１２には給湯熱交換器２１で加熱された湯が流れる。給湯熱交換器２１で加熱された湯は、出湯管２１２を通って、カランやシャワーヘッド等の出湯端末６０に供給される。出湯管２１２から湯落とし込み管２１３が分岐する。この湯落とし込み管２１３は、追い焚き暖房熱交換器２２の入口に接続される湯戻り管２２２に合流する。湯落とし込み管２１３には圧力センサー２１３１が設けられる。給湯熱交換器２１の内部には、給湯熱交換器２１内の湯の温度（滞留湯温）を検出するための湯温センサー２１２１が設けられる。給湯熱交換器２１の出口には、給湯熱交換器２１を通過する湯の温度を検出するための温度センサー２１２２が設けられる。給湯熱交換器２１から出た湯にバイパス管２１４からの水を混ぜて温度が低下した湯が通る出湯管２１２には、出湯端末６０に送られる湯の温度を検出するための出湯温度センサー２１２３が設けられる。
【００２３】
追い焚き暖房熱交換器２２の出口には、湯往き管２２１の一端が接続される。湯往き管２２１の他端は、温水分岐ユニット３の風呂往き三方弁３１に接続される。追い焚き暖房熱交換器２２の入口には、湯戻り管２２２の一端が接続される。湯戻り管２２２の他端は、温水分岐ユニット３の風呂戻り三方弁３２に接続される。湯戻り管２２２には、循環ポンプ２２０が設けられる。この循環ポンプ２２０は、湯落とし込み管２１３の合流箇所よりも追い焚き暖房熱交換器２２に近い箇所に設けられている。また湯戻り管２２２には、風呂水流スイッチ２２２１及び風呂温度センサー２２２２も設けられている。風呂水流スイッチ２２２１及び風呂温度センサー２２２２は、湯落とし込み管２１３の合流箇所よりも追い焚き暖房熱交換器２２から離れた箇所に設けられている。風呂温度センサー２２２２は、たとえばサーミスターである。風呂温度センサー２２２２を使用することで、浴槽４０の湯温を検知することができる。
【００２４】
温水分岐ユニット３は、風呂往き三方弁３１と、風呂戻り三方弁３２とを含む。
【００２５】
風呂往き三方弁３１のひとつの接続口には、上述のように湯往き管２２１が接続される。風呂往き三方弁３１の別の接続口には風呂往き管４１１の一端が接続される。風呂往き管４１１の他端は、浴槽４０の循環金具４１に接続される。風呂往き三方弁３１の残りの接続口には、暖房往き管５１１の一端が接続される。暖房往き管５１１の他端は、暖房ユニット５０の暖房熱交換器５１の入口に接続されるとともに、暖房熱交換器５１の入口と出口はバイパスされる。暖房熱交換器５１を含む温水分岐ユニット３は、浴室内（例えば浴槽と浴槽のエプロン間）に設置される。
【００２６】
風呂戻り三方弁３２のひとつの接続口には、上述のように湯戻り管２２２が接続される。風呂戻り三方弁３２の別の接続口には風呂戻り管４１２の一端が接続される。風呂戻り管４１２の他端は、浴槽４０の循環金具４１に接続される。風呂戻り三方弁３２の残りの接続口には、エアセパレーター接続管３３１の一端が接続される。エアセパレーター接続管３３１の他端は、エアセパレーター３３の底面に接続される。エアセパレーター３３は、湯を貯める空間を有している。暖房熱交換器５１の出口に接続される暖房戻り管５１２の他端が、エアセパレーター３３の底面に接続される。
【００２７】
このようになっているので、湯往き管２２１及び風呂往き管４１１が連通するように風呂往き三方弁３１を切り替えて、風呂戻り管４１２及び湯戻り管２２２が連通するように風呂戻り三方弁３２を切り替えた状態で、循環ポンプ２２０が作動すると、給湯器２で加熱された湯が浴槽４０を循環する。
【００２８】
湯往き管２２１及び暖房往き管５１１が連通するように風呂往き三方弁３１を切り替えるとともに、エアセパレーター接続管３３１及び湯戻り管２２２が連通するように風呂戻り三方弁３２を切り替えた状態で、循環ポンプ２２０が作動すると、給湯器２で加熱された湯が暖房ユニット５０の暖房熱交換器５１及びエアセパレーター３３を循環する。
【００２９】
なおエアセパレーター３３の上面には、オーバーフローパイプ３３２の一端が接続されている。オーバーフローパイプ３３２の他端は、風呂往き管４１１に合流する。
【００３０】
図中、２００は給湯器２のコントローラー、３００は温水分岐ユニット３のコントローラー、５２は暖房ユニット５０の室温検知センサーである。
【００３１】
給湯器コントローラー２００にはリモコン（不図示）が接続され、リモコンが操作されて給湯温度や風呂温度が設定される。カランやシャワーヘッド等の出湯端末６０の栓が開かれると、出湯温度センサー２１２３によって検出される出湯温度が、給湯設定温度となるように、ガスバーナー２３の燃焼が調整されて給湯熱交換器２１が加熱される。また、風呂の追い焚き燃焼時には、風呂温度センサー２２２２によって検出される風呂温度が、風呂設定温度となるように、ガスバーナー２３の燃焼が調整されて、追い焚き暖房熱交換器２２が加熱される。
【００３２】
続いて以下では具体的な運転シーンに沿った給湯システム１の運転についてさらに詳しく説明する。
【００３３】
リモコンが操作されて入浴予定時刻として１８時がセットされ、風呂自動運転スイッチ（湯張り運転、追い焚き運転、自動保温運転）と浴室暖房スイッチとがセットされた場合を例に挙げて、給湯システム１の作動について説明する。なお入浴予定時刻（１８時）の前に浴室の暖房も完了させる。
【００３４】
この場合は、入浴予定時刻（１８時）の３０分前にシステムが作動を開始する。最初にエアパージ運転を実行する。エアパージ運転では、図２に示されるように、追い焚き暖房熱交換器２２と暖房端末２６とが連通するように風呂往き三方弁３１を切り替えるとともに、追い焚き暖房熱交換器２２とエアセパレーター３３とが連通するように風呂戻り三方弁３２を切り替える。この状態で、上水道の水を供給すると、水は入水管２１１を流れて給湯熱交換器２１で加熱され、出湯管２１２→湯落とし込み管２１３と流れた後、湯戻り管２２２で２つの流れに分流する。なお図中、湯水温度の概略をドットの濃淡で表現した。ドットが濃いところは湯水温度が高く、ドットが淡いところは湯水温度が低い。図２中は２つの流れが判りやすいように濃淡を付けているが、エアパージ運転中は暖房ファンを運転しないので、ほぼ同じ温度となっている。
【００３５】
分流したひとつの流れは、湯戻り管２２２→追い焚き暖房熱交換器２２、という流れであり、追い焚き暖房熱交換器２２でさらに加熱されて、湯往き管２２１→風呂往き三方弁３１→暖房往き管５１１→暖房熱交換器５１→暖房戻り管５１２、と流れてエアセパレーター３３に到達する。分流したもうひとつ流れは、湯戻り管２２２→風呂戻り三方弁３２→エアセパレーター３３、という流れである。このように、湯戻り管２２２で２つに分流した流れは、エアセパレーター３３で合流する。
【００３６】
そして、エアセパレーター３３から、オーバーフローパイプ３３２→風呂往き管４１１→循環金具４１、と流れて浴槽４０に到達する。このように湯が流れることで、配管中の空気がパージされる。なお仕様にもよるが、２〜３リットル程度の湯水が流れれば、エアパージが完了する。給水圧によって湯水が毎分２リットル程度流れれば、このエアパージは、約１分程度で完了する。
【００３７】
エアパージが完了したら、浴槽４０が所望の湯量になるまで、湯張り運転を実行する。この場合は、図３に示されるように、追い焚き暖房熱交換器２２と浴槽４０とが連通するように風呂往き三方弁３１及び風呂戻り三方弁３２を切り替える。この状態で上水道の水を供給すると、水は入水管２１１を流れて給湯熱交換器２１で加熱されて出湯管２１２→湯落とし込み管２１３と流れた後、湯戻り管２２２で２つの流れに分流する。
【００３８】
ひとつの流れは、湯戻り管２２２→追い焚き暖房熱交換器２２、という流れであり、追い焚き暖房熱交換器２２でさらに加熱されて、湯往き管２２１→風呂往き三方弁３１→風呂往き管４１１→循環金具４１と流れて浴槽４０に到達する。もうひとつ流れは、湯戻り管２２２→風呂戻り三方弁３２→風呂戻り管４１２→循環金具４１（浴槽４０）という流れである。このように、給湯熱交換器２１で加熱された湯は、途中で２系統に分流して浴槽４０に供給される。この湯張り運転は、浴槽４０が所望の湯量になるまで行われる。なお浴槽４０の湯量Ｑは、圧力センサー２１３１で検出された水圧ＰをＰＱ線図に適合することで求められる。
【００３９】
湯張りが完了したら、湯温が適温になるまで追い焚き運転が実行される。この場合は、図４に示されるように、風呂往き三方弁３１及び風呂戻り三方弁３２が、追い焚き暖房熱交換器２２と浴槽４０とを連通させた状態で循環ポンプ２２０を作動させる。すると、浴槽４０の湯水が、循環金具４１→風呂戻り管４１２→風呂戻り三方弁３２→湯戻り管２２２→追い焚き暖房熱交換器２２→湯往き管２２１→風呂往き三方弁３１→風呂往き管４１１→循環金具４１→浴槽４０、と循環し、追い焚き暖房熱交換器２２で加熱される。なおこの場合、給湯せずに追い焚きのみするが、ガスバーナー２３の熱が給湯熱交換器２１にも伝達するので、給湯熱交換器２１内の湯水が沸騰するおそれがある。給湯熱交換器２１の湯が沸騰した状態で出湯端末６０の栓が開けられると、沸騰した湯が出湯端末６０から流出することとなり危険である。そこでこの場合は、給湯熱交換器２１に設けられた湯温センサー２１２１の検出温度を見ながらガスバーナー２３をオンオフして燃焼・停止を繰り返すことで、給湯熱交換器２１内で湯水が沸騰することを防止しながら追い焚きする。入浴予定時刻（１８時）の１５分程度前までには湯が適温になって追い焚きが完了する。
【００４０】
セットされている入浴予定時刻の１０分程度前になったら、暖房運転が開始される。この場合は、図５に示されるように、風呂往き三方弁３１を切り替えて、追い焚き暖房熱交換器２２と暖房熱交換器５１とを連通させるとともに、風呂戻り三方弁３２を切り替えて、追い焚き暖房熱交換器２２とエアセパレーター３３とを連通させる。この状態で循環ポンプ２２０を作動させる。すると、追い焚き暖房熱交換器２２で加熱されて７０℃程度になった湯が、湯往き管２２１→風呂往き三方弁３１→暖房往き管５１１、と流れて暖房熱交換器５１に達する。暖房熱交換器５１で、湯の熱が放熱されて、浴室内を暖めることとなる。暖房熱交換器５１を通った湯は、６０℃程度まで温度が下がり、暖房戻り管５１２→エアセパレーター３３→エアセパレーター接続管３３１→風呂戻り三方弁３２→湯戻り管２２２、と流れて、再び、追い焚き暖房熱交換器２２を流れて加熱される。
【００４１】
この暖房運転では、暖房管路（暖房往き管５１１，暖房熱交換器５１，暖房戻り管５１２，エアセパレーター３３，エアセパレーター接続管３３１）内が６０℃以上の湯水で満たされ、殺菌されつつ暖房する。入浴予定時刻（１８時）までには浴室が適温になって暖房運転が完了する。
【００４２】
その後、時間が経過すると、浴槽湯水の温度が低下する。そこで、風呂往き三方弁３１及び風呂戻り三方弁３２が、追い焚き暖房熱交換器２２と浴槽４０とを連通させた状態（図４の状態）にしておく。そして所定時間毎に循環ポンプ２２０を作動させる。すると、浴槽４０の湯水が、循環金具４１→風呂戻り管４１２→風呂戻り三方弁３２→湯戻り管２２２→追い焚き暖房熱交換器２２→湯往き管２２１→風呂往き三方弁３１→風呂往き管４１１→循環金具４１→浴槽４０、と循環する。この循環する湯水の温度を湯戻り管２２２の風呂温度センサー２２２２で検出し、リモコンの設定温度以下ならば追い焚きを行い、リモコンの設定温度の所定の範囲内であれば追い焚きを行わずに循環ポンプ２２０を停止させる。このようにすることで、浴槽湯水の保温をはかる（自動保温）。
【００４３】
複数人が交替で入浴する場合に、浴室の温度が低下するなどして、浴室の暖房と浴槽の追い焚きを同時に行うシーンがある。この場合は、図６に示されるように、風呂往き三方弁３１を切り替えて、追い焚き暖房熱交換器２２と暖房熱交換器５１とを連通させるとともに、風呂戻り三方弁３２を切り替えて、追い焚き暖房熱交換器２２と浴槽４０とを連通させる。この状態で循環ポンプ２２０を作動させる。すると、浴槽４０の湯水が、循環金具４１→風呂戻り管４１２→風呂戻り三方弁３２→湯戻り管２２２→追い焚き暖房熱交換器２２、と流れて、追い焚き暖房熱交換器２２で加熱されて７０℃程度になる。そしてその湯が、湯往き管２２１→風呂往き三方弁３１→暖房往き管５１１、と流れて暖房熱交換器５１に達する。暖房熱交換器５１で、湯の熱が放熱されて、浴室内を暖める。暖房熱交換器５１を通った湯は、６０℃程度まで温度が下がるものの、まだまだ温度が高い。その湯が、暖房戻り管５１２→エアセパレーター３３→オーバーフローパイプ３３２→風呂往き管４１１→循環金具４１、と流れて再び浴槽４０に到達する。このように、追い焚き暖房熱交換器２２で加熱されて７０℃程度になった湯は、暖房熱交換器５１で放熱して浴室内を暖める。そして、６０℃程度まで温度が下がるもののまだまだ温度が高い湯が浴槽に供給されることで、効率的に浴槽を追い焚きすることが可能である。
【００４４】
また、暖房運転を終了してから、湯温が低下して、再び、追い焚きを行うシーンもある。この場合は、図４に示されるように、風呂往き三方弁３１及び風呂戻り三方弁３２が、追い焚き暖房熱交換器２２と浴槽４０とを連通させた状態にする。そして循環ポンプ２２０を作動させる。
【００４５】
このように、暖房運転終了後、入浴に伴い浴槽の追い焚きや、浴室の暖房と浴槽の追い焚きを同時に行うシーンがある。そして、追焚終了後に暖房管路内に残る湯が冷め、暖房管路内が負圧になると、風呂戻り三方弁３２の閉止機能が前記負圧に耐えられず（又は三方弁の故障により）、雑菌と雑菌増殖に有利に働く有機物を含む浴槽水が、三方弁を通過して暖房管路内に侵入し、雑菌が暖房管路内で繁殖するおそれがある。一般的に清水（市水、上水）でも１００時間程度を超えると、暖房管路内の雑菌量が、浴槽に混入した時に好ましくない程度まで繁殖してしまう。浴槽水は清水と異なり雑菌繁殖を促進する有機物を多量に含むので、例えば１００時間以下の７２時間程度で何らかの対応を取ることが好ましい。
【００４６】
ここで、三方弁の予想される故障原因について説明する。
【００４７】
図７に風呂往き三方弁３１・風呂戻り三方弁３２の一般的な内部構造を示す。風呂往き三方弁３１・風呂戻り三方弁３２の内部流路には、楕円形ステンレス板に２つのゴムが被せられたバタフライバルブＶがある。バタフライバルブＶは、２ヶ所（図中×印部）でシャフトＳＦＴにスポット溶接されている。シャフトＳＦＴの先端にはギヤＧが固設されている。ギヤＧは、モーターＭによって駆動される。ギヤＧの回転角度（バタフライバルブＶの開度）は、角度位置センサーＳによって検出される。バタフライバルブＶは、モーターＭによって角度が変更される。バタフライバルブＶは、楕円形ステンレス板に被せられたゴム部分を、管路端部に押しつけたり解放したりすることで流路を開閉することで、流路を択一的に切り替える。
【００４８】
ところで、ステッピングモーターを用いることで、上述したような角度位置センサーＳを使用しない場合がある。この場合、ステッピングモーターの脱調（ステッピングモーターに通電しても回動しないために、バタフライバルブの実際の角度が、演算によって求められる角度に対してズレる現象）によって、バタフライバルブの角度が予定角度と異なる場合がある。厳密には故障ではないかもしれないが、脱調状態（中間開度で停止した状態）で暖房運転を行うと、風呂の湯温が高くなり過ぎたり、浴室の暖房の効きが悪いなどの不具合が生じる。また、角度位置センサーを用いたとしても、角度位置センサーにリード線をハンダ付けする際に用いる塩化亜鉛等のハンダペーストが、角度位置センサーの検出面上にある銅箔を腐食させ、角度位置センサーの接触部分の接触不良によってバタフライバルブの角度を誤検出する場合がある。前記の２つのパターンでは、いきなり本来の１００％開度が７０％開度のように急変し、不具合を生じる。ところで、２つのゴムをかぶせたバタフライバルブは、切り替える管路端部にゴム部分を押しつけることで閉止している。このとき、バタフライバルブとシャフト間を固定しているスポット溶接部分には、スポット溶接が剥がれる方向に力が加わる。スポット溶接時の溶接電流が適切でなかった場合には、金属疲労により溶接が剥がれ、本来の１００％開度が８５％開度となり、さらに剥がれて７０％開度のようにゆっくり異常が進行する場合がある。このようにいきなり開度に異常が生じる故障とゆっくり進行する故障がある。次に故障時の湯水の流れについて説明する。
【００４９】
次に、図８を参照して、雑菌と雑菌増殖に有利に働く有機物を含む浴槽水が、三方弁を通過して暖房管路内に侵入することについて説明する。
【００５０】
先に説明したように、入浴予定時刻（１８時）の３０分前にエアパージ運転が実行される。このエアパージ運転によって暖房管路内には新鮮な湯が充満することとなる。エアパージが完了したら湯張り運転が実行される。浴槽４０が所望の湯量になったら、湯温が適温になるまで追い焚き運転が実行される。そして、入浴予定時刻の１０分程度前になったら、暖房運転が開始される。エアパージ運転によって暖房管路内は新鮮な湯で充満しており雑菌（たとえばレジオネラ菌，大腸菌）はいないが、暖房運転することで暖房管路内が熱殺菌される。なお、この暖房運転は必須ではない、なぜならば利用者の選択（たとえば夏場で暖房が不必要な状況）によって行われないためである。
【００５１】
その後、時間が経過したら循環ポンプ２２０を駆動して風呂温度センサー２２２２で浴槽の湯温を検出する。湯温がリモコンの設定温度以下ならば追い焚き運転を行う。また複数人が交替で入浴する場合に浴室の暖房運転も同時に行うこともある。このような運転を行うと、図４に示されるように、浴槽４０の湯水が、循環金具４１→風呂戻り管４１２→風呂戻り三方弁３２→湯戻り管２２２、と流れ、風呂戻り管４１２から湯戻り管２２２までは、雑菌を含んだ湯水で満たされる。この湯水が追い焚き暖房熱交換器２２で加熱されることで熱殺菌されて、湯往き管２２１→風呂往き三方弁３１→風呂往き管４１１、と流れるので、湯往き管２２１から風呂往き管４１１までは、熱殺菌された湯水で満たされる。このように、冬場、暖房運転終了後に行われる、入浴に伴う浴槽の追い焚き運転や、浴室の暖房運転と浴槽の追い焚き運転の同時実行によって、風呂戻り管４１２から湯戻り管２２２までは、雑菌を含んだ湯水で満たされることとなる。なお、循環ポンプ２２０を駆動して風呂温度センサー２２２２で浴槽の湯温を検出したが、湯温がリモコンの設定温度の所定の範囲内であれば追い焚きを行わずに循環ポンプ２２０を停止させる。この場合は、循環ポンプ２２０を駆動することで、浴槽４０の湯水が、循環金具４１→風呂戻り管４１２→風呂戻り三方弁３２→湯戻り管２２２→暖房熱交換器２２→湯往き管２２１→風呂往き三方弁３１→風呂往き管４１１、と流れ、循環ポンプ２２０を停止することで、この経路に雑菌を含んだ湯水が満たされることとなる。
【００５２】
入浴終了後、浴槽栓が抜かれ、圧力センサー２１３１によって水位低下が検知されると、配管内の湯を洗い流す配管洗浄が行なわれる。この配管洗浄は、バーナー２３が燃焼した状態で行われる。これによって、湯張り時（図３）と同様の流れが生じて、湯戻り管２２２→追い焚き暖房熱交換器２２→湯往き管２２１→風呂往き三方弁３１→風呂往き管４１１、という経路と、湯戻り管２２２→風呂戻り三方弁３２→風呂戻り管４１２、という経路との内部が新鮮な湯で満たされ、雑菌（たとえばレジオネラ菌、大腸菌）がいなくなる。
【００５３】
しかしながら、浴槽栓が抜かれる前に、暖房管路内が冷えると（特に冬場は暖房管路内が冷えやすい）、図８に示されるように、風呂戻り管４１２に貯留している、雑菌を含んだ湯水がエアセパレーター３３に流れ込むことがある。すなわち、暖房管路内が冷えると暖房管路内が負圧になる。このとき、風呂戻り三方弁３２の閉まりが不十分の場合には、暖房管路内の負圧によって、風呂戻り管４１２に貯留している湯水がエアセパレーター３３に流れ込む。
【００５４】
また循環ポンプ２２０を駆動して風呂温度センサー２２２２で浴槽の湯温を検出したが、湯温がリモコンの設定温度の所定の範囲内（マイナス０．５℃以内）であれば追い焚きを行わずに循環ポンプ２２０を停止させる。この場合は、循環ポンプ２２０を駆動することで、浴槽４０の湯水が、循環金具４１→風呂戻り管４１２→風呂戻り三方弁３２→湯戻り管２２２→暖房熱交換器２２→湯往き管２２１→風呂往き三方弁３１→風呂往き管４１１、と流れ、循環ポンプ２２０を停止することで、この経路に雑菌を含んだ湯水が満たされることとなる。そして、図９に示されるように、風呂往き管４１１に貯留している、雑菌を含んだ湯水が暖房往き管５１１やオーバーフローパイプ３３２に流れ込むことがある。すなわち、暖房管路内が冷えると暖房管路内が負圧になる。このとき、風呂往き三方弁３１の閉まりが不十分の場合には、暖房管路内の負圧によって、風呂往き管４１１に貯留している湯水が暖房往き管５１１やオーバーフローパイプ３３２に流れ込む。
【００５５】
このようにして、雑菌と雑菌増殖に有利に働く有機物を含む浴槽水が、三方弁を通過して暖房管路内に侵入することとなる。
【００５６】
そして何ら工夫がなければ、浴槽栓が抜かれて圧力センサー２１３１によって水位低下が検知された場合に、配管内の湯を洗い流す配管洗浄が行なわれる。この配管洗浄は、バーナー２３が燃焼した状態で行われる。これによって、湯張り時（図３）と同様の流れが生じて、湯戻り管２２２→追い焚き暖房熱交換器２２→湯往き管２２１→風呂往き三方弁３１→風呂往き管４１１、という経路と、湯戻り管２２２→風呂戻り三方弁３２→風呂戻り管４１２、という経路との内部には新鮮な湯で満たされて雑菌（たとえばレジオネラ菌、大腸菌）がいなくなるものの、暖房管路には雑菌が残留してしまう。前回のエアパージ運転から７２時間程度が経過すると、暖房管路に残留した雑菌が繁殖し、次回のエアパージ運転によってその雑菌が浴槽４０に流れ込む事態が発生する。
【００５７】
そこで、この第１実施形態では、入浴終了後、浴槽栓が抜かれ、圧力センサー２１３１によって水位低下が検知された場合に、以下の制御を実行するようにした。以下では、図１０のフローチャートに沿って具体的な内容を説明する。なおこのフローチャートは、所定の微小時間サイクルで繰り返し実行される。
【００５８】
ステップＳ１１において、コントローラーは、圧力センサー２１３１の検出信号が基準値よりも小さくなるまでは処理をスキップし、小さくなったらステップＳ１２へ処理を移行する。
【００５９】
ステップＳ１２において、コントローラーは、タイマーが作動しているか否かを判定する。コントローラーは、判定結果が否であればステップＳ１３へ処理を移行し、判定結果が肯であればステップＳ１６へ処理を移行する。なおタイマーは最初停止している。
【００６０】
ステップＳ１３において、バーナー２３を燃焼してエアパージ運転を実行する。
【００６１】
ステップＳ１４において、タイマーを起動する。
【００６２】
ステップＳ１５において、配管洗浄運転を実行する。
【００６３】
ステップＳ１６において、コントローラーは、タイマーが７２時間を経過するまではステップＳ１７以降の処理をスキップし、７２時間を経過したらステップＳ１７へ処理を移行する。
【００６４】
ステップＳ１７において、バーナー２３を燃焼しないでエアパージ運転を実行する。
【００６５】
ステップＳ１８において、タイマーをリセットする。
【００６６】
次に、コントローラーの処理を説明する。なお以下では、上述のフローチャートとの対応が分かりやすくなるように、フローチャートのステップ番号を適宜記載する。
【００６７】
入浴終了後、浴槽栓が抜かれ、圧力センサー２１３１によって水位低下が検知されたときは（Ｓ１１でＹｅｓ）、風呂往き三方弁３１及び風呂戻り三方弁３２を、図４に示される追焚状態から図２に示されるエアパージ運転状態に切り替えてバーナー２３を燃焼してエアパージ運転を行う（Ｓ１３）。これによってエアセパレーター３３をはじめとする暖房管路の内部の湯水が置換される。そして７２時間タイマーを起動する（Ｓ１４：７２時間タイマーの起点）。
【００６８】
次サイクル以降は、タイマーが作動しているので、ステップＳ１２→Ｓ１５、と処理される。そして、風呂往き三方弁３１及び風呂戻り三方弁３２を湯張り時（図３）の状態にして、バーナー２３が燃焼した状態で配管洗浄を行なう（Ｓ１６）。これによって、湯戻り管２２２→追い焚き暖房熱交換器２２→湯往き管２２１→風呂往き三方弁３１→風呂往き管４１１、という流れと、湯戻り管２２２→風呂戻り三方弁３２→風呂戻り管４１２、という流れが生じて、配管が洗浄される。
【００６９】
次サイクル以降は、配管が洗浄済みであるので、ステップＳ１５→Ｓ１７、と処理されて、７２時間が経過したら（通常はリモコンＯＦＦの状態で）、ステップＳ１７→Ｓ１８、と処理されて、風呂往き三方弁３１及び風呂戻り三方弁３２を、図２で示すエアパージ運転状態に切り替え、バーナー２３を燃焼しない状態でエアパージ運転を行う（Ｓ１８）。これによって、塩素を含む冷水でエアセパレーター３３をはじめとする暖房管路内の水を置換する。そして、７２時間タイマーをリセットする（Ｓ１９）。
【００７０】
次サイクル以降は、タイマーが作動しているとともに配管が洗浄済みであるので、ステップＳ１２→Ｓ１５→Ｓ１７、と処理されて、７２時間が経過したら（通常はリモコンＯＦＦの状態で）、ステップＳ１７→Ｓ１８、と処理されて、バーナー２３を燃焼しない状態でエアパージ運転を行う（Ｓ１８）、という処理を繰り返す。
【００７１】
このように、本実施形態によれば、通常状態として三方弁を追焚位置とし、入浴終了時に行う浴槽排水動作を圧力センサー２１３１で検出し、検出水位が一定以下となった場合には、追焚管路を給湯の湯水で洗浄して、７２時間が経過するまで待機する。そして７２時間が経過したならば、三方弁をエアパージ位置として湯落とし込み管２１３から水を流し、塩素を含む水で暖房管路内を満たし雑菌の繁殖を防止する。そして、所定量の水を流し終えたあとは、三方弁を追焚管路位置に戻して待機し、この動作を７２時間毎に繰り返すようにしている。
【００７２】
このようにすることで、次回エアパージ運転や、次回暖房運転時に暖房管路で増殖した雑菌が浴槽に混入するのを防止することができる。
【００７３】
また上述したように、追い焚きを伴わないで循環ポンプ２２０を駆動させた場合には、風呂戻り三方弁３２のみならず風呂往き三方弁３１の浴槽側も雑菌が含まれる湯水で満たされる。したがって、暖房管路への雑菌侵入経路として風呂往き三方弁３１もある。換言すれば、追い焚き（燃焼）するか否かにかかわらず、循環ポンプ２２０を駆動させると、まず浴槽湯水が風呂戻り三方弁３２にまで至り、その後、風呂往き三方弁３１にも至る。したがって、少なくとも浴槽湯水が風呂戻り三方弁３２にまで達していれば、その後暖房管路内の湯水の膨張、収縮により浴槽湯水が暖房管路内に侵入する恐れがあるので、槽湯水が風呂戻り三方弁３２にまで至ったことを条件として、上水において１００時間程度と言われる安全基準より短い期間の７２時間程度で暖房管路内の水の置換を行うことで、次回エアパージ運転や、次回暖房運転時に暖房管路で増殖した雑菌が浴槽に混入するのを防止することができる。
【００７４】
なお浴槽湯水が風呂戻り三方弁３２にまで至ったことは、循環ポンプ２２０を駆動させた時間で把握できる。たとえば、浴槽〜風呂戻り三方弁３２間距離（配管容量）と、風呂戻り三方弁３２〜風呂温度センサー２２２２間距離（配管容量）と、循環ポンプ２２０を駆動して浴槽の湯温を検出するまでの時間が分かれば逆算できるので、次回以降はこの逆算時間を用いるようにすれば良い。
【００７５】
また前記距離（配管容量）関係が不明の場合には、風呂温度センサー２２２２が湯温を検出したことをもって浴槽湯水が風呂戻り三方弁３２にまで至ったと判断するようにしても良い。
【００７６】
さらに、風呂自動運転スイッチ（湯張り運転、追い焚き運転、自動保温運転）がセットされた場合には、追い焚き運転にて燃焼するか否かは別として浴槽湯水の温度を見るために、循環ポンプ２２０駆動により風呂温度センサー２２２２にまで浴槽湯水が至るので（入浴の如何にかかわらず、浴槽に湯水を入れれば、浴槽湯水に雑菌が入るので）、風呂自動運転スイッチがセットされたことをもって浴槽湯水が風呂戻り三方弁３２にまで至る状況（循環ポンプを駆動して、浴槽湯水が風呂戻り三方弁にまで至る状況）と判断するようにしても良い。
【００７７】
暖房運転時における雑菌の浴槽への混入は、追焚や浴室室温の上昇により暖房管路内の湯水が膨張し、しっかり閉まっていない（故障や髪の毛が絡みついてしっかり閉まっていない等）場合には、風呂戻り三方弁３２や、風呂往き三方弁３１から追焚管路に雑菌を含む湯水が漏れ出るために起きる。
【００７８】
夏場には、浴槽水の熱や浴室の熱を受けて暖房管路内の圧力が上昇するので、同じことが起きるので、前記対策は夏でも必要である。
【００７９】
（第２実施形態）
図１１は、給湯システムの第２実施形態の制御のフローチャートである。なお以下では前述と同様の機能を果たす部分には同一の符号を付して重複する説明を適宜省略する。
【００８０】
次に第２実施形態について説明する。第１実施形態では、入浴終了時に行う浴槽排水動作を圧力センサー２１３１で検出したら、バーナー２３を燃焼してエアパージ運転を実行することで、エアセパレーター３３をはじめとする暖房管路の内部の湯水を置換した。これに対して、この第２実施形態では、暖房管路の内部の湯水の置換する動作を省略している。その他の動作は、第１実施形態と共通である。
【００８１】
このようにしても、次回エアパージ運転や、次回暖房運転時に暖房管路で増殖した雑菌が浴槽に混入するのを防止することができる。なぜならば、エアセパレーター３３内の雑菌は７２時間以内はその増殖量が少なく、浴槽に混入しても支障がないためである。なお７２時間タイマーの起点は、前回のエアパージ運転であり、たとえば入浴予定時刻（１８時）の３０分前にエアパージ運転である。
【００８２】
（応用形態）
図１２は、給湯システムの応用形態を示す図である。
【００８３】
上述のシステムでは、オーバーフローパイプ３３２があるものを例示して説明した。このようなシステムでは、負圧発生時に、オーバーフローパイプ３３２を経由して暖房管路内に雑菌が入り込むことがある。しかし、オーバーフローパイプ３３２がないシステムでも三方弁で切り替えるシステムでは、三方弁の故障により、雑菌を含む浴槽水が三方弁を通過して暖房管路内に侵入するので同様の事態が発生する。このように暖房回路中で雑菌が増殖し、このあとに自動湯張りを行うと、暖房管路内で増殖した雑菌が、自動湯張りで浴槽内に流出すると健康を害する事態になり、危険であるが、第１実施形態及び第２実施形態の技術は、図１２に示すようなオーバーフローパイプ３３２がなく、エアセパレーター３３の代わりに膨張タンク３３を用いたシステムにも応用できる。
【００８４】
はじめに、オーバーフローパイプ３３２がなく、エアセパレーター３３の代わりに膨張タンク３３を用いたシステムでも、雑菌と雑菌増殖に有利に働く有機物を含む浴槽水が、三方弁を通過して暖房管路内に侵入することについて説明する。
【００８５】
追い焚き運転では、図１３に示されるように、風呂往き三方弁３１及び風呂戻り三方弁３２が、追い焚き暖房熱交換器２２と浴槽４０とを連通させた状態で循環ポンプ２２０を作動させる。すると、浴槽４０の湯水が、循環金具４１→風呂戻り管４１２→風呂戻り三方弁３２→湯戻り管２２２→追い焚き暖房熱交換器２２→湯往き管２２１→風呂往き三方弁３１→風呂往き管４１１→循環金具４１→浴槽４０、と循環し、追い焚き暖房熱交換器２２で加熱される。
【００８６】
浴槽栓が抜かれる前に、暖房管路内が冷えると（特に冬場は暖房管路内が冷えやすい）、図１４に示されるように、風呂戻り管４１２に貯留している、雑菌を含んだ湯水がエアセパレーター３３に流れ込むことがある。すなわち、暖房管路内が冷えると暖房管路内が負圧になる。このとき、風呂戻り三方弁３２の閉まりが不十分の場合には、暖房管路内の負圧によって、風呂戻り管４１２に貯留している湯水が膨張タンク３３に流れ込む。
【００８７】
また循環ポンプ２２０を駆動して風呂温度センサー２２２２で浴槽の湯温を検出したが、湯温がリモコンの設定温度の所定の範囲内であれば追い焚きを行わずに循環ポンプ２２０を停止させる。この場合は、循環ポンプ２２０を駆動することで、浴槽４０の湯水が、循環金具４１→風呂戻り管４１２→風呂戻り三方弁３２→湯戻り管２２２→暖房熱交換器２２→湯往き管２２１→風呂往き三方弁３１→風呂往き管４１１、と流れ、循環ポンプ２２０を停止することで、この経路に雑菌を含んだ湯水が満たされることとなる。そして、図１５に示されるように、風呂往き管４１１に貯留している、雑菌を含んだ湯水が暖房往き管５１１に流れ込むことがある。すなわち、暖房管路内が冷えると暖房管路内が負圧になる。このとき、風呂往き三方弁３１の閉まりが不十分の場合には、暖房管路内の負圧によって、風呂往き管４１１に貯留している湯水が暖房往き管５１１に流れ込む。
【００８８】
このように、オーバーフローパイプ３３２がなく、エアセパレーター３３の代わりに膨張タンク３３を用いたシステムでも、雑菌と雑菌増殖に有利に働く有機物を含む浴槽水が、三方弁を通過して暖房管路内に侵入するのである。
【００８９】
このようなシステムでも、図１０や図１１に示したフローチャートを実行することで、次回エアパージ運転や、次回暖房運転時に暖房管路で増殖した雑菌が浴槽に混入するのを防止することができる。
【００９０】
なおこのようなシステムでは、エアパージ運転は、たとえば、風呂戻り三方弁３２及び風呂往き三方弁３１を５０％開度として行う。このようにしてエアパージ運転を実行すると、図１６に示されるように、湯落とし込み管２１３から風呂戻り三方弁３２へ送られた湯は、膨張タンク接続管３３１と風呂戻り管４１２とに分かれる。膨張タンク接続管３３１に分かれた湯は、膨張タンク３３→暖房戻り管５１２→暖房熱交換器５１→暖房往き管５１１、と流れて風呂往き三方弁３１に到達し、湯往き管２２１を流れる湯と合流して、浴槽４０へ至る。オーバーフローパイプ３３２がなく、エアセパレーター３３の代わりに膨張タンク３３を用いたシステムでは、このようにエアパージ運転するので、図１０や図１１に示したフローチャートを実行することで、次回エアパージ運転や、次回暖房運転時に暖房管路で増殖した雑菌が浴槽に混入するのを防止することができる。
【００９１】
オーバーフローパイプ３３２がなく、エアセパレーター３３の代わりに膨張タンク３３を用いたシステムでは、以下のようにエアパージ運転を行う場合もある。すなわち、風呂戻り三方弁３２及び風呂往き三方弁３１の両方を５０％開度にするのではなく、風呂往き三方弁３１のみ５０％開度とする方法である。このようにしてエアパージ運転を実行すると、図１７に示されるように、湯落とし込み管２１３から風呂戻り三方弁３２へ送られた湯は、全量が膨張タンク接続管３３１に流れる。そして、膨張タンク３３→暖房戻り管５１２→暖房熱交換器５１→暖房往き管５１１、と流れて風呂往き三方弁３１に到達し、湯往き管２２１を流れる湯と合流して、浴槽４０へ至る。このようにエアパージ運転しても、図１０や図１１に示したフローチャートを実行することで、次回エアパージ運転や、次回暖房運転時に暖房管路で増殖した雑菌が浴槽に混入するのを防止することができる。
【００９２】
このように、エアパージ運転には種々の手法があるが、特に限定されるものではない。
【００９３】
また、給湯熱交換器２１と追い焚き暖房熱交換器２２を一つの缶体とした一缶二水を用いたもので説明を行ったが、二缶二水であってもかまわない。
【００９４】
風呂自動運転スイッチと浴室暖房スイッチとがセットされされた例について述べたが、給湯システム１の図示されない外気温サーミスターや、暖房ユニット５０の室温検知センサー５２を用いて、浴室暖房は、風呂自動運転スイッチを選択したら、その動作を自動で判断するようにしても良い。
【００９５】
７２時間タイマーの初回起点は、室温検知センサー５２が温度降下を捉えて入浴が終了した時点としても良いし、圧力センサー２１３１で最終水位低下（入浴終了による水位低下後、所定時間の入浴がないことを排水）を捉えた時点であってもかまわない。
【００９６】
７２時間タイマーは室温検知センサー５２の検出する温度に応じて可変設定（浴室の温度が低いほど暖房管路内雑菌繁殖温度が低く、長時間でも雑菌が繁殖しにくいと判断して長めにタイマーを設定）とされるようにしてもかまわない。
【００９７】
以上、本発明の実施形態について説明したが、上記実施形態は本発明の適用例の一部を示したに過ぎず、本発明の技術的範囲を上記実施形態の具体的構成に限定する趣旨ではない。
【００９８】
たとえば、バーナーに送る燃料はガスではなく、石油であってもよい。
【００９９】
上記実施形態は、適宜組み合わせ可能である。
【符号の説明】
【０１００】
１  給湯システム
２  給湯器
２１  給湯熱交換器
２２  追い焚き暖房熱交換器
２０１  フィン
２３  バーナー（ガスバーナー）
２２１  湯往き管（追い焚き循環往き通路）
２２２  湯戻り管（追い焚き循環戻り通路）
２２２２  戻り湯温センサー
３  温水分岐ユニット
３１  風呂往き三方弁
３２  風呂戻り三方弁
３３  エアセパレーター／膨張タンク（貯留部）
３３１  エアセパレーター接続管（暖房戻り通路）
３３２  オーバーフローパイプ
４０  浴槽
４１１  風呂往き管（追い焚き循環往き通路）
４１２  風呂戻り管（追い焚き循環戻り通路）
５１  暖房熱交換器
５１１  暖房往き管（暖房往き通路）
５１２  暖房戻り管（暖房戻り通路）
Ｓ１８  水置換部／水置換工程
【図１】
0006615555.tif 000002
【図２】
0006615555.tif 000003
【図３】
0006615555.tif 000004
【図４】
0006615555.tif 000005
【図５】
0006615555.tif 000006
【図６】
0006615555.tif 000007
【図７】
0006615555.tif 000008
【図８】
0006615555.tif 000009
【図９】
0006615555.tif 000010
【図１０】
0006615555.tif 000011
【図１１】
0006615555.tif 000012
【図１２】
0006615555.tif 000013
【図１３】
0006615555.tif 000014
【図１４】
0006615555.tif 000015
【図１５】
0006615555.tif 000016
【図１６】
0006615555.tif 000017
【図１７】
0006615555.tif 000018